【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
軸方向前端と軸方向後端と中心長手方向軸とを有する細長いタップ本体を備える切削タップであって、
前記細長いタップ本体の前記軸方向前端が溝付部を有し、前記溝付部が溝を有し、
前記溝付部が、前記細長い本体の前記軸方向前端を起点として前記軸方向前端から後部軸方向に延びる面取り溝付部を含み、前記面取り溝付部が軸方向後方終端を有し、
前記面取り溝付部が複数の切削ねじ山を備え、前記切削ねじ山の各々が、末端切刃で終端するすくい面を有し、前記すくい面が、前記末端切刃と前記中心長手方向軸との間の半径方向基準線に対するすくい面角度で配置され、
前記切削ねじ山が前記面取り溝付部の前記軸方向前端から離れると、それだけ前記面取り溝付部の前記切削ねじ山の前記すくい面角度が負角になる切削タップ。
【請求項２】
前記面取り溝付部が軸方向最前部の切削ねじ山を有し、前記すくい面角度が約５度の負角〜約１５度の正角の範囲であり、前記面取り溝付部が軸方向最後部の切削ねじ山を有し、前記すくい面角度が約１度の負角〜約２５度の負角の範囲である請求項１に記載の切削タップ。
【請求項３】
前記細長いタップ本体が超硬合金から製造される請求項１に記載の切削タップ。
【請求項４】
前記溝付部が直線状溝を有する請求項１に記載の切削タップ。
【請求項５】
前記溝付部が、約１５度〜約５５度のねじれ角を有する螺旋状溝を有する請求項１に記載の切削タップ。
【請求項６】
前記切刃が研磨される請求項１に記載の切削タップ。
【請求項７】
金属窒化物、金属炭化物、金属炭窒化物、金属ホウ化物及び／又は金属酸化物からなる１つ以上の層を含むコーティングスキームをさらに含み、前記金属が、アルミニウム、シリコン、並びに周期表のＩＶａ族、Ｖａ族及びＶＩａ族の遷移金属の１つ以上から選択される請求項１に記載の切削タップ。
【請求項８】
前記コーティングスキームに摩擦低減層をさらに含む請求項７に記載の切削タップ。
【請求項９】
前記細長いタップ本体が高速度鋼を含む請求項１に記載の切削タップ。
【請求項１０】
軸方向前端と軸方向後端と中心長手方向軸とを有する細長いタップ本体を備える切削タップであって、
前記細長いタップ本体の前記軸方向前端が溝付部を有し、前記溝付部が溝を有し、
前記溝付部が、前記細長い本体の前記軸方向前端を起点として前記軸方向前端から後部軸方向に延びる面取り溝付部を含み、前記面取り溝付部が軸方向後方終端を有し、さらに、前記溝付部が、前記面取り溝付部に隣接する軸方向前端と軸方向後方終端とを有する仕上げ溝付部を含み、
前記仕上げ溝付部が複数の切削ねじ山を備え、前記切削ねじ山の各々が、末端切刃で終端するすくい面を有し、前記すくい面が、前記末端切刃と前記中心長手方向軸との間の半径方向基準線に対する仕上げすくい面角度で配置され、
前記仕上げ溝付部の前記切削ねじ山の各々の前記仕上げすくい面角度が実質的に等しく、前記仕上げすくい面角度が、前記面取り溝付部の前記軸方向後方終端の前記切削ねじ山の前記すくい面角度よりも負角である切削タップ。
【請求項１１】
前記仕上げ面角度が約１度の負角〜約２５度の負角の範囲である請求項１０に記載の切削タップ。
【請求項１２】
前記細長いタップ本体が超硬合金から製造される請求項１０に記載の切削タップ。
【請求項１３】
前記溝付部が直線状溝を有する請求項１０に記載の切削タップ。
【請求項１４】
前記溝付部が、約１５度〜約５５度のねじれ角を有する螺旋状溝を有する請求項１０に記載の切削タップ。
【請求項１５】
前記切刃が研磨される請求項１０に記載の切削タップ。
【請求項１６】
金属窒化物、金属炭化物、金属炭窒化物、金属ホウ化物及び／又は金属酸化物の１つ以上の層を含むコーティングスキームをさらに含み、前記金属が、アルミニウム、シリコン、並びに周期表のＩＶａ族、Ｖａ族及びＶＩａ族の遷移金属の１つ以上から選択される請求項１０に記載の切削タップ。
【請求項１７】
前記コーティングスキームに摩擦低減層をさらに含む請求項１６に記載の切削タップ。
【請求項１８】
前記細長いタップ本体が高速度鋼を含む請求項１０に記載の切削タップ。
【請求項１９】
軸方向前端と軸方向後端と中心長手方向軸とを有する細長いタップ本体を備える切削タップであって、
前記細長いタップ本体の前記軸方向前端が溝付部を有し、前記溝付部が溝を有し、
前記溝付部が、前記細長い本体の前記軸方向前端を起点として前記軸方向前端から後部軸方向に延びる面取り溝付部を含み、前記面取り溝付部が軸方向後方終端を有し、さらに、前記溝付部が、前記面取り溝付部との接合部を起点として前記接合部から後部軸方向に延びる仕上げ溝付部を含み、
前記面取り溝付部が複数の切削ねじ山を備え、前記切削ねじ山の各々が、末端切刃で終端するすくい面を有し、前記すくい面が、前記末端切刃と前記中心長手方向軸との間の半径方向基準線に対するすくい面角度で配置され、前記切削ねじ山が前記面取り溝付部の前記軸方向前端から軸方向後方に離れると、それだけ前記面取り溝付部の前記切削ねじ山の前記すくい面角度が負角になり、
前記仕上げ溝付部が複数の切削ねじ山を備え、前記切削ねじ山の各々が、末端切刃で終端するすくい面を有し、前記すくい面が、前記末端切刃と前記中心長手方向軸との間の半径方向基準線に対する仕上げすくい面角度で配置され、前記仕上げ溝付部の前記切削ねじ山の各々の前記仕上げすくい面角度が実質的に等しく、前記仕上げすくい面角度が、前記面取り溝付部の前記軸方向後方終端の前記切削ねじ山の前記すくい面角度よりも負角である切削タップ。
【請求項２０】
前記面取り溝付部が軸方向最前部の切削ねじ山を有し、前記軸方向最前部の切削ねじ山のすくい面角度が約５度の負角〜約１５度の正角の範囲であり、前記面取り溝付部が軸方向最後部の切削ねじ山を有し、前記軸方向最後部の切削ねじ山のすくい面角度が約１度の負角〜約２５度の負角の範囲である請求項１９に記載の切削タップ。
【請求項２１】
前記細長いタップ本体が超硬合金から製造される請求項１９に記載の切削タップ。
【請求項２２】
前記溝付部が直線状溝を有する請求項１９に記載の切削タップ。
【請求項２３】
前記溝付部が、約１５度〜約５５度のねじれ角を有する螺旋状溝を有する請求項１９に記載の切削タップ。
【請求項２４】
前記切刃が研磨される請求項１９に記載の切削タップ。
【請求項２５】
金属窒化物、金属炭化物、金属炭窒化物、金属ホウ化物及び／又は金属酸化物の１つ以上の層を含むコーティングスキームをさらに含み、前記金属が、アルミニウム、シリコン、並びに周期表のＩＶａ族、Ｖａ族及びＶＩａ族の遷移金属の１つ以上から選択される請求項１９に記載の切削タップ。
【請求項２６】
前記コーティングスキームに摩擦低減層をさらに含む請求項２５に記載の切削タップ。
【請求項２７】
前記細長いタップ本体が高速度鋼を含む請求項１９に記載の切削タップ。
【請求項２８】
軸方向前端と軸方向後端と中心長手方向軸と直径とを有する細長いタップ本体を備える切削タップであって、
前記細長いタップ本体の前記軸方向前端が溝付部を有し、前記溝付部が溝を有し、
前記溝付部が、前記細長い本体の前記軸方向前端を起点として前記軸方向前端から後部軸方向に延びる面取り溝付部を含み、前記面取り溝付部が軸方向後方終端を有し、
前記面取り溝付部が複数の切削ねじ山を備え、前記切削ねじ山の各々が、末端切刃で終端するすくい面を有し、前記すくい面が、中心点を有する移行半径によって定義され、前記切削ねじ山が前記後部軸方向に移動したときに、前記移行半径の前記中心点が前記末端切刃に対して半径方向内側に移動し、前記移行半径が前記切削タップの直径の約５％〜約１００％の範囲である切削タップ。
【請求項２９】
前記すくい面が、前記末端切刃と前記中心長手方向軸との間の半径方向基準線に対するすくい面角度で配置され、前記切削ねじ山が前記面取り溝付部の前記軸方向前端から離れると、それだけ前記面取り溝付部の前記切削ねじ山の前記すくい面角度が負角になる請求項２８に記載の切削タップ。
【手続補正２】
【補正対象書類名】明細書
【補正対象項目名】発明の名称
【補正方法】変更
【補正の内容】
【発明の名称】切削タップ
【手続補正３】
【補正対象書類名】明細書
【補正対象項目名】００３５
【補正方法】変更
【補正の内容】
【００３５】
図５Ｂは、図４の断面５Ｂ−５Ｂで示したような同じ切削ねじ山６２の軸方向のより後部の位置にあるすくい面を示している。図５Ｂでは、すくい面７６は、移行半径Ｒ１によって定義されているような凸形状を有する。移行半径Ｒ１の長さは、切削タップの直径の約５％〜約１００％の間で変化できる。切削角は、半径基準線と末端切刃６３、すなわち凸状すくい面７６の軸方向前方終端のすくい面の接線（Ｉ−Ｉ）との間の刃先角である。この場合、切削角はゼロ度であり、したがって、線Ｉ−Ｉのみが基準となるが、この理由は、線Ｉ−Ｉは半径方向基準線と同延であるからである。さらに、凸状すくい面７６は軸方向後方終端７８を有する。線Ｊ−Ｊは、凸状すくい面７６の軸方向後方終端７８の接線である。角度Ａ１は線Ｉ−Ｉと線Ｊ−Ｊとの間の刃先角である。この実施形態では、角度Ａ１は、図５Ａに示したような切削角Ａ１に等しい。
【手続補正４】
【補正対象書類名】図面
【補正対象項目名】図３
【補正方法】変更
【補正の内容】
【図３】
2010506747.tif 000001
【手続補正５】
【補正対象書類名】図面
【補正対象項目名】図４
【補正方法】変更
【補正の内容】
【図４】
2010506747.tif 000002